(57)【要約】【課題】かご敷居から立設するかご出入口柱と乗場敷居から立設する乗場出入口柱との間に形成される柱間開口部に、利用者が手を差し入れることにより負傷する等のトラブルが発生することを防止できるエレベータの出入口柱間開口閉塞装置を提供する。【解決手段】実施の形態によるエレベータの出入口柱間開口閉塞装置３０は、かご出入口柱１３または乗場出入口柱２２に設けられた回動自在な閉塞部材３１と、閉塞部材３１を回動させる回動駆動手段４０と、を備えている。閉塞部材３１は、かごドア１０が閉じている場合に乗りかご３を昇降可能にする開放位置に位置付けられるとともに、かごドア１０が開いている場合に、かご出入口柱１３と乗場出入口柱２２との間に形成される柱間開口部２５を閉塞する閉塞位置に位置付けられるように、回動駆動手段４０により開放位置と閉塞位置との間で回動自在になっている。【選択図】図２
2015024918.tif 000002
【特許請求の範囲】
【請求項１】
片開き構造のかごドアが開いている場合に、乗りかごのかご敷居に立設されたかご出入口柱と前記乗りかごが着床した乗場の乗場敷居に立設された乗場出入口柱との間に形成される柱間開口部を閉塞するエレベータの出入口柱間開口閉塞装置において、
前記かご出入口柱または前記乗場出入口柱に設けられた回動自在な閉塞部材と、
前記閉塞部材を回動させる回動駆動手段と、を備え、
前記閉塞部材は、前記かごドアが閉じている場合に前記乗りかごを昇降可能にする開放位置に位置付けられるとともに、前記かごドアが開いている場合に前記柱間開口部を閉塞する閉塞位置に位置付けられるように、前記回動駆動手段により前記開放位置と前記閉塞位置との間で回動自在であることを特徴とするエレベータの出入口柱間開口閉塞装置。
【請求項２】
前記回動駆動手段は、
前記閉塞部材を前記閉塞位置側に付勢する付勢手段と、
前記かごドアが閉じている場合に、前記付勢手段の付勢力に対抗して前記閉塞部材を前記開放位置側に押圧し、当該開放位置に位置付ける押圧手段と、を有していることを特徴とする請求項１に記載のエレベータの出入口柱間開口閉塞装置。
【請求項３】
前記閉塞部材は、閉塞部材本体と、前記閉塞部材本体に固定され、前記押圧手段に押圧される被押圧部と、を有し、
前記閉塞部材の前記被押圧部は、前記かご出入口柱のかご戸当たり部よりも前記かごドア側とは反対側に配置され、
前記押圧手段は、前記かごドアに設けられた、前記かごドアが閉じられた場合に前記被押圧部を押圧する突出部を含み、
前記かご戸当たり部に、前記押圧手段の前記突出部が貫通可能な開口部が設けられていることを特徴とする請求項２に記載のエレベータの出入口柱間開口閉塞装置。
【請求項４】
前記かご戸当たり部よりも前記かごドア側とは反対側に、前記閉塞部材を回動自在に支持する支持軸が設けられ、
前記付勢手段は、前記支持軸に設けられたねじりコイルばねを含んでいることを特徴とする請求項３に記載のエレベータの出入口柱間開口閉塞装置。
【請求項５】
前記回動駆動手段は、
前記閉塞部材を前記開放位置と前記閉塞位置との間で回動させるサーボモータと、
前記かごドアと前記かご出入口柱のかご戸当たり部との間のドア距離を検出する距離検出手段と、を有し、
前記距離検出手段により検出された前記ドア距離が所定の距離より短い状態から当該所定の距離より長い状態に移行した場合に、前記サーボモータは、前記閉塞部材を回動させて前記閉塞位置に位置付け、前記距離検出手段により検出された前記ドア距離が前記所定の距離より長い状態から当該所定の距離より短い状態に移行した場合に、前記サーボモータは、前記閉塞部材を回動させて前記開放位置に位置付けることを特徴とする請求項１に記載のエレベータの出入口柱間開口閉塞装置。
【請求項６】
前記閉塞部材は、前記開放位置において、前記かご敷居から前記乗場敷居側に突出していないことを特徴とする請求項１乃至５のいずれかに記載のエレベータの出入口柱間開口閉塞装置。
【発明の詳細な説明】
【技術分野】
【０００１】
本発明の実施の形態は、エレベータの出入口柱間開口閉塞装置に関する。
【背景技術】
【０００２】
図７に示すように、エレベータ装置の乗りかご７０が乗場７１に着床した場合、かご敷居７２と乗場敷居７３との間には間隙７６が形成される。この間隙７６を閉塞するために、例えば、特許文献１に示すようなエレベータの出入口装置が知られている。ここでは、乗りかごの床に閉塞体が設けられ、この閉塞体が、かごドアが開いた場合に乗りかごのかご敷居と乗場の乗場敷居との間の間隙を越えて乗場敷居側に前進し、間隙の解消を図っている。
【先行技術文献】
【特許文献】
【０００３】
【特許文献１】特開２００２−３２１８８８号公報
【発明の概要】
【発明が解決しようとする課題】
【０００４】
しかしながら、乗りかごが乗場に着床した場合、かご敷居から立設するかご出入口柱と、乗場敷居から立設する乗場出入口柱との間には、柱間開口部が形成されている。このことにより、エレベータの乗りかごを乗降する利用者（特に子供）がかご出入口柱と乗場出入口柱との間の隙間に手を差し入れた場合、手を柱間開口部を通って奥深くまで差し入れてしまう可能性がある。この場合、利用者の手が負傷する等のトラブルが発生し得るという問題がある。
【０００５】
本発明は、このような点を考慮してなされたものであり、かご敷居から立設するかご出入口柱と乗場敷居から立設する乗場出入口柱との間に形成される柱間開口部に、利用者が手を差し入れることにより負傷する等のトラブルが発生することを防止できるエレベータの出入口柱間開口閉塞装置を提供することを目的とする。
【課題を解決するための手段】
【０００６】
実施の形態によれば、エレベータの出入口柱間開口閉塞装置は、片開き構造のかごドアが開いている場合に、乗りかごのかご敷居に立設されたかご出入口柱と乗りかごが着床した乗場の乗場敷居に立設された乗場出入口柱との間に形成される柱間開口部を閉塞する。このようなエレベータの出入口柱間開口閉塞装置は、かご出入口柱または乗場出入口柱に設けられた回動自在な閉塞部材と、閉塞部材を回動させる回動駆動手段と、を備えている。閉塞部材は、かごドアが閉じている場合に乗りかごを昇降可能にする開放位置に位置付けられるとともに、かごドアが開いている場合に柱間開口部を閉塞する閉塞位置に位置付けられるように、回動駆動手段により開放位置と閉塞位置との間で回動自在になっている。
【図面の簡単な説明】
【０００７】
【図１】図１は、エレベータ装置の全体概略構成を示す図である。
【図２】図２は、本発明の第１の実施の形態におけるエレベータの出入口を示す水平断面図である。
【図３】図３は、図２のＡ部拡大図である。
【図４】図４は、図２のエレベータの出入口に設けられた閉塞部材を示す斜視図である。
【図５】図５は、本発明の第２の実施の形態におけるエレベータの出入口を示す水平断面図である。
【図６】図６は、図５のＢ部拡大図である。
【図７】図７は、従来のエレベータの出入口を示す水平断面図である。
【発明を実施するための形態】
【０００８】
以下、図面を参照して、本発明の実施の形態について説明する。
【０００９】
（第１の実施の形態）
図１乃至図４を用いて、本発明の第１の実施の形態におけるエレベータの出入口柱間開口閉塞装置について説明する。
【００１０】
ここでは、まず、本実施の形態によるエレベータの出入口柱間開口閉塞装置が適用されるエレベータ装置について説明する。図１に示すように、エレベータ装置１は、昇降路２内を昇降自在な乗りかご３と、乗りかご３にロープ４を介して連結された釣合錘５と、ロープ４を介して乗りかご３及び釣合錘５を昇降させる巻上機（昇降駆動部）６と、を備えている。このような構成において、巻上機６がロープ４を巻き上げることにより、乗りかご３及び釣合錘５がそれぞれ昇降し、乗りかご３は、エレベータ装置１が設置された建物の複数の階床にそれぞれ設けられた乗場７間を昇降するようになっている。
【００１１】
乗りかご３には、かごドア１０が設けられている。かごドア１０は、乗りかご３に設けられたドア駆動部１１によって開閉するようになっている。また、図２に示すように乗場７には、乗場ドア２０が設けられており、乗場ドア２０は、かごドア１０に連動して開閉するようになっている。
【００１２】
乗りかご３が所望の乗場７に着床した場合、ドア駆動部１１によってかごドア１０が開く。この際、乗場ドア２０が、かごドア１０に連動して開き、乗りかご３にエレベータの利用者が乗降可能となる。本実施の形態においては、かごドア１０は、２つのかごドアパネル１０ａを含み、乗場ドア２０は、２つの乗場ドアパネル２０ａを含んでいる。かごドア１０および乗場ドア２０は、片開き構造となっている。
【００１３】
乗りかご３のかごドア１０の下方には、かご敷居１２が設けられている。かごドア１０は、かご敷居１２に設けられた案内溝（図示せず）によって案内されながら開閉するようになっている。また、かご敷居１２には、かご出入口柱１３が立設されており、かご出入口柱１３は、閉じられたかごドア１０が当接するかご戸当たり部１４を有している。かご戸当たり部１４には、クッション材（図示せず）が取り付けられており、閉じられたかごドア１０は、クッション材を介してかご戸当たり部１４に当接するようになっている。
【００１４】
乗場ドア２０の下方には、乗場敷居２１が設けられている。乗場ドア２０は、乗場敷居２１に設けられた案内溝（図示せず）によって案内されながら開閉するようになっている。また、乗場敷居２１には、乗場出入口柱２２が立設されており、乗場出入口柱２２は、閉じられた乗場ドア２０が当接する乗場戸当たり部２３を有している。この乗場出入口柱２２は、エレベータの出入口を覆う三方枠の一部を構成している。乗場戸当たり部２３には、かご戸当たり部１４と同様に、クッション材（図示せず）が取り付けられており、閉じられた乗場ドア２０は、クッション材を介して乗場戸当たり部２３に当接するようになっている。
【００１５】
次に、本実施の形態によるエレベータの出入口柱間開口閉塞装置３０について説明する。ここで、エレベータの出入口柱間開口閉塞装置３０は、上述したような片開き構造のかごドア１０が開いている場合に、乗りかご３のかご敷居１２に立設されたかご出入口柱１３と乗りかご３が着床した乗場７の乗場敷居２１に立設された乗場出入口柱２２との間に形成される柱間開口部２５を閉塞するためのものである。なお、閉塞とは、柱間開口部を完全に閉塞するという意味に限られることはなく、エレベータの利用者が手を差し入れることができない程度の柱間開口部を許容する場合を含む意味として用いている。
【００１６】
図２および図３に示すように、エレベータの出入口柱間開口閉塞装置３０は、かご出入口柱１３に設けられた回動自在な閉塞板（閉塞部材）３１と、閉塞板３１を回動させる回動駆動手段４０と、を備えている。このうち閉塞板３１は、かごドア１０が閉じている場合に乗りかご３を昇降可能にする開放位置に位置付けられるとともに、かごドア１０が開いている場合に柱間開口部２５を閉塞する閉塞位置に位置付けられるように、回動駆動手段４０により開放位置と閉塞位置との間で回動自在になっている。なお、開放位置においては、閉塞板３１は、かご敷居１２上に配置されており、かご敷居１２から乗場敷居２１側に突出していない。
【００１７】
回動駆動手段４０は、閉塞板３１を閉塞位置側に付勢するねじりコイルばね（付勢手段）４１と、かごドア１０が閉じている場合に、ねじりコイルばね４１の付勢力に対抗して閉塞板３１を開放位置側に押圧し、開放位置に位置付ける押圧手段４４と、を有している。
【００１８】
ねじりコイルばね４１は、かご出入口柱１３より外側（かごドア１０の側とは反対側）に設けられた支持軸４２に固定されている。支持軸４２は、かご出入口柱１３に沿って略鉛直方向に延びており、閉塞板３１を、ねじりコイルばね４１を介して回動自在に支持している。ねじりコイルばね４１は、そのコイル部の内側に支持軸４２が挿入されて固定されており、ねじりコイルばね４１の一端部は、かご出入口柱１３に溶接等によって固定されるとともに、他端部は、閉塞板３１に溶接等によって固定されている。ねじりコイルばね４１は、閉塞板３１を閉塞位置の側に付勢するように、かご出入口柱１３および閉塞板３１に固定されている。なお、支持軸４２は、図４に示すように、その上端部および下端部において、かご出入口柱１３に固定された保持片４３によって保持されて固定されている。
【００１９】
図２乃至図４に示すように、押圧手段４４は、かごドア１０に設けられた突出部４５を有している。具体的には、突出部４５は、かご戸当たり部１４側のかごドアパネル１０ａのかご戸当たり部１４の側の面に配置されており、当該面から、かご戸当たり部１４の側に向って突出している。このような突出部４５が、ドア駆動部１１が駆動されてかごドアパネル１０ａがかご戸当たり部１４の側に移動することによって、閉塞板３１の被押圧部３３（後述）を押圧するようになっている。すなわち、突出部４５、かごドア１０およびドア駆動部１１等によって押圧手段４４が構成され、かごドア１０が閉じられた場合に、突出部４５は、閉塞板３１の被押圧部３３を押圧するようになっている。
【００２０】
閉塞板３１は、閉塞板本体（閉塞部材本体）３２と、閉塞板本体３２に固定された被押圧部３３と、を有している。押圧手段４４の突出部４５が被押圧部３３を押圧することにより、閉塞板３１は、ねじりコイルばね４１の付勢力に対抗して開放位置の側に回動するようになっている。被押圧部３３は、突出部４５からの押圧力を効果的に受けることができるように、閉塞板本体３２に対して傾斜していることが好適である。なお、本実施の形態における閉塞板本体３２は、水平断面視（図２のように示す場合）で、Ｌ字状に形成されている。また、閉塞板３１の高さ寸法および取り付け高さは任意とすることができる。すなわち、閉塞板３１は、エレベータの利用者が手を差し入れることを効果的に防止できれば、任意の高さ寸法および取り付け高さとすることができ、閉塞板３１の上方および下方に、閉塞されていない柱間開口部の一部が残存していてもよい。
【００２１】
かご出入口柱１３は、水平断面視で、外側が開口するような枠状に形成されている。このようなかご出入口柱１３のかご戸当たり部１４よりも外側に、閉塞板３１の被押圧部３３が配置されている。かご戸当たり部１４には、突出部４５が貫通可能な貫通開口部４６が設けられている。この貫通開口部４６は、上述したクッション材をも貫通している。このようにして、かごドア１０が閉じられた場合には、突出部４５が貫通開口部４６を貫通して閉塞板３１の被押圧部３３を押圧可能に構成されている。
【００２２】
また、閉塞位置において、閉塞板３１の被押圧部３３の端部が、かご戸当たり部１４の裏面に当接することが好適である。この場合、かご戸当たり部１４を、閉塞位置における閉塞板３１のストッパーとして機能させることができ、閉塞板３１の行き過ぎを防止できる。また、この場合、エレベータの利用者が閉塞板３１を閉塞位置側に押圧した場合であっても、閉塞板３１が所定の閉塞位置から更に回動することを防止できる。
【００２３】
次に、このような構成からなる本実施の形態の作用について説明する。
【００２４】
エレベータの乗りかご３が昇降路２内を昇降している間、かごドア１０は閉じられ、当該かごドア１０のかごドアパネル１０ａに設けられた突出部４５が、閉塞板３１の被押圧部３３を押圧している。このことにより、閉塞板３１は、ねじりコイルばね４１の付勢力に対抗して開放位置に位置付けられている。この場合、閉塞板３１は、乗場７側に突出していないため、閉塞板３１が昇降路２内の構造物に干渉することが防止されて、乗りかご３はスムースに昇降可能になっている。
【００２５】
エレベータの乗りかご３が所望の乗場７に着床すると、ドア駆動部１１が駆動されて、かごドア１０が、乗場ドア２０を連動させながら開き、エレベータの利用者が乗りかご３に乗降する。
【００２６】
この場合、かごドア１０が開くことにより、当該かごドア１０のかごドアパネル１０ａが、かご戸当たり部１４から離れる方向（戸開方向）に移動する。このことにより、突出部４５が、かご出入口柱１３の貫通開口部４６から引き出されて、閉塞板３１の被押圧部３３から離れる。このため、閉塞板３１が、ねじりコイルばね４１の付勢力によって回動して閉塞位置に位置付けられる。このようにして、閉塞板３１が、かご出入口柱１３と乗場出入口柱２２との間の柱間開口部２５を閉塞する。この際、閉塞板３１の被押圧部３３の端部が、かご戸当たり部１４の裏面に当接する。
【００２７】
エレベータの利用者の乗降が終了すると、ドア駆動部１１が駆動されて、かごドア１０が乗場ドア２０を連動させながら閉じられる。
【００２８】
この場合、かごドア１０が閉じることにより、当該かごドア１０のかごドアパネル１０ａが、のかご戸当たり部１４に向う方向（戸閉方向）に移動し、突出部４５が、かご出入口柱１３の貫通開口部４６に挿入されて、閉塞板３１の被押圧部３３を押圧する。このことにより、閉塞板３１が、ねじりコイルばね４１の付勢力に対抗して、閉塞位置から開放位置に向って回動する。かごドアパネル１０ａがかご戸当たり部１４に当接すると、閉塞板３１は開放位置に位置付けられる。このようにして、閉塞板３１が、かご出入口柱１３と乗場出入口柱２２との間の柱間開口部２５を開放する。
【００２９】
その後、乗りかご３は、昇降を開始する。この際、閉塞板３１が開放位置に位置付けられているため、乗りかご３は、昇降路２内をスムースに昇降できる。
【００３０】
このように本実施の形態によれば、かごドア１０が開いている場合に、かご敷居１２に立設されたかご出入口柱１３と乗場敷居２１に立設された乗場出入口柱２２との間に形成される柱間開口部２５を、閉塞板３１によって閉塞することができる。このことにより、かご出入口柱１３と乗場出入口柱２２との間の隙間にエレベータの利用者が手を差し入れた場合であっても、手を奥深くまで差し入れることを防止できる。このため、当該柱間開口部２５に、エレベータの利用者が手を差し入れることにより負傷する等のトラブルが発生することを防止でき、利用者の安全性を向上させることができる。
【００３１】
また、本実施の形態によれば、閉塞板３１は、ねじりコイルばね４１によって閉塞位置側に付勢されており、かごドア１０が閉じている場合に、ねじりコイルばね４１の付勢力に対抗して閉塞板３１を開放位置側に押圧し、開放位置に位置付けられる。このことにより、閉塞板３１を閉塞位置および開放位置に位置付ける構成を簡素化して実現することができる。
【００３２】
また、本実施の形態によれば、押圧手段４４が、かごドア１０に設けられた突出部４５を含み、この突出部４５が、かご戸当たり部１４に設けられた貫通開口部４６を貫通して、閉塞板３１の被押圧部３３を押圧する。このことにより、かご出入口柱１３より外側に配置された閉塞板３１を回動させることができる。すなわち、閉塞板３１をかご出入口柱１３より外側に配置することができ、閉塞板３１をエレベータの利用者が触れることを防止して、利用者の安全性を確保することができる。
【００３３】
さらに、本実施の形態によれば、ねじりコイルばね４１は、かご戸当たり部１４より外側に設けられた支持軸４２に取り付けられている。このことにより、閉塞板３１を付勢する構造を簡素化して実現することができる。
【００３４】
（第２の実施の形態）
次に、図５および図６により、本発明の第２の実施の形態におけるエレベータの出入口柱間開口閉塞装置について説明する。
【００３５】
図５および図６に示す第２の実施の形態においては、回動駆動手段が、サーボモータと距離検出手段と、を有している点が主に異なり、他の構成は、図１乃至図４に示す第１の実施の形態と略同一である。なお、図５および図６において、図１乃至図４に示す第１の実施の形態と同一部分には同一符号を付して詳細な説明は省略する。
【００３６】
図５および図６に示すように、回動駆動手段５０は、閉塞板３１を開放位置と閉塞位置との間で回動させるサーボモータ５１と、かごドア１０とかご戸当たり部１４との間のドア距離ｘを検出する近接センサ（距離検出手段）５２と、を有している。
【００３７】
このうち、サーボモータ５１は、かご出入口柱１３より外側に設けられた支持軸４２に連結されている。本実施の形態による支持軸４２は、かご出入口柱１３に対して回動自在に構成されている。すなわち、支持軸４２は、保持片４３に対して回動自在になっている。このことにより、サーボモータ５１の回動動力が、支持軸４２を介して閉塞板３１に伝達されて、閉塞板３１が回動するようになっている。なお、サーボモータ５１は、支持軸４２の下端部に連結されていることが好適である。
【００３８】
図５および図６に示す形態では、近接センサ５２は、かご出入口柱１３に設けられている。近接センサ５２は、誘導形、静電容量形、超音波形、光電形、磁気形など、任意の方式のセンサを使用することができる。すなわち、近接センサ５２は、かごドア１０のかご戸当たり部１４の側の面と、かご戸当たり部１４のかごドア１０の側の面とのドア距離を検出可能であれば、任意の構成することができる。また、図５および図６の形態とは異なるが、近接センサ５２は、例えば、かご戸当たり部１４に設けられた第１センサ構成部と、かごドアパネル１０ａに設けられた第２センサ構成部とによって、構成されるようにしてもよい。
【００３９】
このような構成により、近接センサ５２により検出されたドア距離が所定の距離（しきい値）より短い状態から当該しきい値より長い状態に移行した場合（すなわち、かごドア１０が戸閉状態から戸開状態に移行した場合）に、サーボモータ５１は、閉塞板３１を回動させて閉塞位置に位置付ける。また、近接センサ５２により検出されたドア距離が上記しきい値より長い状態から当該しきい値より短い状態に移行した場合（すなわち、かごドア１０が戸開状態から戸閉状態に移行した場合）に、サーボモータ５１は、閉塞板３１を回動させて開放位置に位置付ける。
【００４０】
このようなサーボモータ５１の駆動には、コンタクタ（電磁接触器、図示せず）を用いることが好適である。すなわち、近接センサ５２の出力接点とコンタクタの入力接点とを接続し、当該コンタクタの出力接点とサーボモータ５１の入力接点とを接続する。このことにより、近接センサ５２により検出されたドア距離の変化に基づいて、サーボモータ５１に駆動電流を供給して、サーボモータ５１を駆動して閉塞板３１を所望の方向に回動することが可能となる。なお、サーボモータ５１の駆動方式としては、このことに限られることはない。
【００４１】
このように本実施の形態によれば、かごドア１０とかご戸当たり部１４との間のドア距離が近接センサ５２によって検出され、この検出されたドア距離が、所定のしきい値より短い状態から長い状態に移行した場合に、サーボモータ５１によって閉塞板３１が閉塞位置に位置付けられ、検出されたドア距離が、所定のしきい値より長い状態から短い状態に移行した場合に、サーボモータ５１によって閉塞板３１が開放位置に位置付けられる。このことにより、かごドア１０が開いている場合に、かご敷居１２に立設されたかご出入口柱１３と乗場敷居２１に立設された乗場出入口柱２２との間に形成される柱間開口部２５を、閉塞板３１によって閉塞することができる。このため、かご出入口柱１３と乗場出入口柱２２との間の隙間にエレベータの利用者が手を差し入れた場合であっても、手を奥深くまで差し入れることを防止できる。このため、当該柱間開口部２５に、エレベータの利用者が手を差し入れることにより負傷する等のトラブルが発生することを防止でき、利用者の安全性を向上させることができる。また、閉塞板３１を閉塞位置および開放位置に位置付ける構成を簡素化することができる。
【００４２】
以上、本発明の実施の形態について詳細に説明してきたが、本発明によるエレベータの出入口柱間開口閉塞装置は、上記実施の形態に何ら限定されるものではなく、本発明の趣旨を逸脱しない範囲において種々の変更が可能である。
【００４３】
例えば、上述した本実施の形態においては、閉鎖板が、乗りかご３に設けられている例について説明した。しかしながら、このことに限られることはなく、閉鎖板は、乗場７に設けられていてもよい。この場合、上述した本実施の形態と同様にして、乗場７に、閉鎖板、回動駆動手段などを設けることにより、かご敷居１２に立設されたかご出入口柱１３と乗場敷居２１に立設された乗場出入口柱２２との間に形成される柱間開口部２５を、閉塞板３１によって閉塞することが可能となる。
【符号の説明】
【００４４】
３      乗りかご
７      乗場
１０    かごドア
１２    かご敷居
１３    かご出入口柱
１４    かご戸当たり部
２１    乗場敷居
２２    乗場出入口柱
２５    柱間開口部
３０    エレベータの出入口柱間開口閉塞装置
３１    閉塞板
３２    閉塞板本体
３３    被押圧部
４０    回動駆動手段
４１    ねじりコイルばね
４２    支持軸
４４    押圧手段
４５    突出部
４６    貫通開口部
５０    回動駆動手段
５１    サーボモータ
５２    近接センサ
【図１】
2015024918.tif 000003
【図３】
2015024918.tif 000004
【図６】
2015024918.tif 000005
【図７】
2015024918.tif 000006
【図２】
2015024918.tif 000007
【図４】
2015024918.tif 000008
【図５】
2015024918.tif 000009
【手続補正書】
【提出日】平成26年10月2日(2014.10.2)
【手続補正１】
【補正対象書類名】特許請求の範囲
【補正対象項目名】全文
【補正方法】変更
【補正の内容】
【特許請求の範囲】
【請求項１】
片開き構造のかごドアが開いている場合に、乗りかごのかご敷居に立設されたかご出入口柱と前記乗りかごが着床した乗場の乗場敷居に立設された乗場出入口柱との間に形成される柱間開口部を閉塞するエレベータの出入口柱間開口閉塞装置において、
前記かご出入口柱または前記乗場出入口柱に設けられた回動自在な閉塞部材と、
前記閉塞部材を回動させる回動駆動手段と、を備え、
前記閉塞部材は、前記かごドアが閉じている場合に前記乗りかごを昇降可能にする開放位置に位置付けられるとともに、前記かごドアが開いている場合に前記柱間開口部を閉塞する閉塞位置に位置付けられるように、前記回動駆動手段により前記開放位置と前記閉塞位置との間で回動自在であり、
前記回動駆動手段は、
前記閉塞部材を前記閉塞位置側に付勢する付勢手段と、
前記かごドアが閉じている場合に、前記付勢手段の付勢力に対抗して前記閉塞部材を前記開放位置側に押圧し、当該開放位置に位置付ける押圧手段と、を有し、
前記閉塞部材は、閉塞部材本体と、前記閉塞部材本体に固定され、前記押圧手段に押圧される被押圧部と、を有し、
前記閉塞部材の前記被押圧部は、前記かご出入口柱のかご戸当たり部よりも前記かごドア側とは反対側に配置され、
前記押圧手段は、前記かごドアに設けられた、前記かごドアが閉じられた場合に前記被押圧部を押圧する突出部を含み、
前記かご戸当たり部に、前記押圧手段の前記突出部が貫通可能な開口部が設けられていることを特徴とするエレベータの出入口柱間開口閉塞装置。
【請求項２】
前記かご戸当たり部よりも前記かごドア側とは反対側に、前記閉塞部材を回動自在に支持する支持軸が設けられ、
前記付勢手段は、前記支持軸に設けられたねじりコイルばねを含んでいることを特徴とする請求項１に記載のエレベータの出入口柱間開口閉塞装置。
【請求項３】
片開き構造のかごドアが開いている場合に、乗りかごのかご敷居に立設されたかご出入口柱と前記乗りかごが着床した乗場の乗場敷居に立設された乗場出入口柱との間に形成される柱間開口部を閉塞するエレベータの出入口柱間開口閉塞装置において、
前記かご出入口柱または前記乗場出入口柱に設けられた回動自在な閉塞部材と、
前記閉塞部材を回動させる回動駆動手段と、を備え、
前記閉塞部材は、前記かごドアが閉じている場合に前記乗りかごを昇降可能にする開放位置に位置付けられるとともに、前記かごドアが開いている場合に前記柱間開口部を閉塞する閉塞位置に位置付けられるように、前記回動駆動手段により前記開放位置と前記閉塞位置との間で回動自在であり、
前記回動駆動手段は、
前記閉塞部材を前記開放位置と前記閉塞位置との間で回動させるサーボモータと、
前記かごドアと前記かご出入口柱のかご戸当たり部との間のドア距離を検出する距離検出手段と、を有し、
前記距離検出手段により検出された前記ドア距離が所定の距離より短い状態から当該所定の距離より長い状態に移行した場合に、前記サーボモータは、前記閉塞部材を回動させて前記閉塞位置に位置付け、前記距離検出手段により検出された前記ドア距離が前記所定の距離より長い状態から当該所定の距離より短い状態に移行した場合に、前記サーボモータは、前記閉塞部材を回動させて前記開放位置に位置付けることを特徴とするエレベータの出入口柱間開口閉塞装置。
【請求項４】
前記閉塞部材は、前記開放位置において、前記かご敷居から前記乗場敷居側に突出していないことを特徴とする請求項１乃至３のいずれかに記載のエレベータの出入口柱間開口閉塞装置。